(57)【特許請求の範囲】
【請求項１】
それぞれ異なるアクセス確率を有する異なるアクセスサービスクラスに対応する少なくとも２つのアクセスリソースグループに分割される複数のアクセスリソースを有するランダムアクセスチャンネルを備える通信システムにおいてデータを送受信する通信装置であって、当該通信装置が現在割り当てられているアクセスサービスクラスに対応するアクセスリソースグループからアクセスリソースをランダムに選択する選択手段と、上記ランダムに選択されたアクセスリソースを用いてランダムアクセスバーストを送信する送信手段と、上記現在のアクセスサービスクラスを他のアクセスサービスクラスに変更させる特定のイベントを検出する検出手段とを備え、
最大のランダムアクセス確率を有するアクセスサービスクラスに対応するアクセスリソースグループのアクセスリソースは、該アクセスリソースグループに排他的に割り当てられていることを特徴とする通信装置。
【請求項２】
各アクセスリソースグループのアクセスリソースは、それぞれのアクセスリソースグループに排他的に割り当てられていることを特徴とする請求項１に記載の通信装置。
【請求項３】
少なくとも一部のアクセスリソースは、２以上のアクセスリソースグループに割り当てられていることを特徴とする請求項１に記載の通信装置。
【請求項４】
現在のアクセスサービスクラスを他のアクセスサービスクラスに変更する規則を格納するメモリを備える請求項１乃至３いずれか１項記載の通信装置。
【請求項５】
当該通信装置は、無線通信システムの移動端末装置であり、上記メモリは、加入者識別モジュールの一部であることを特徴とする請求項４記載の通信装置。
【請求項６】
現在のアクセスサービスクラスを他のアクセスサービスクラスに変更する規則は、他の通信装置から送信されてくることを特徴とする請求項１乃至５いずれか１項記載の通信装置。
【請求項７】
上記特定のイベントは、上記ランダムアクセスチャンネルを介してランダムアクセス要求を送信した後、他の通信装置から送信されてくる所定回数の否定応答信号の受信であることを特徴とする請求項１乃至６いずれか１項記載の通信装置。
【請求項８】
上記特定のイベントは、時刻であることを特徴とする請求項１乃至６いずれか１項記載の通信装置。
【請求項９】
上記現在のアクセスサービスクラスは、周期的に変更されることを特徴とする請求項１乃至８いずれか１項記載の通信装置。
【請求項１０】
上記通信システムは、無線汎用移動通信システムであり、上記ランダムアクセルチャンネルのアクセスリソースは、タイムスロット及びシグネチャコードにより定義されることを特徴とする請求項１乃至９いずれか１項記載の通信装置。
【請求項１１】
それぞれ異なるアクセス確率を有する異なるアクセスサービスクラスに対応する少なくとも２つのアクセスリソースグループに分割される複数のアクセスリソースを有するランダムアクセスチャンネルを備える通信システムにおいてデータを送受信する通信方法であって、通信装置が現在割り当てられているアクセスサービスクラスに対応するアクセスリソースグループからアクセスリソースをランダムに選択するステップと、上記ランダムに選択されたアクセスリソースを用いてランダムアクセスバーストを送信するステップと、特定のイベントを検出し、上記現在のアクセスサービスクラスを他のアクセスサービスクラスに変更するステップとを有し、
最大のランダムアクセス確率を有するアクセスサービスクラスに対応するアクセスリソースグループのアクセスリソースは、該アクセスリソースグループに排他的に割り当てられていることを特徴とする通信方法。
【請求項１２】
各アクセスリソースグループのアクセスリソースは、それぞれのアクセスリソースグループに排他的に割り当てられていることを特徴とする請求項１１に記載の通信方法。
【請求項１３】
少なくとも一部のアクセスリソースは、２以上のアクセスリソースグループが割り当てられていることを特徴とする請求項１１に記載の通信方法。
【請求項１４】
現在のアクセスサービスクラスを他のアクセスサービスクラスに変更する規則は、メモリに格納され及び該メモリから読み出されることを特徴とする請求項１１乃至１３いずれか１項記載の通信方法。
【請求項１５】
現在のアクセスサービスクラスを他のアクセスサービスクラスに変更する規則は、他の通信装置から送信されてくることを特徴とする請求項１１乃至１４いずれか１項記載の通信方法。
【請求項１６】
上記特定のイベントは、上記ランダムアクセスチャンネルを介してランダムアクセス要求を送信した後、他の通信装置から送信されてくる所定回数の否定応答信号の受信であるを特徴とする請求項１１乃至１５いずれか１項記載の通信方法。
【請求項１７】
上記特定のイベントは、時刻であることを特徴とする請求項１１乃至１５いずれか１項記載の通信方法。
【請求項１８】
上記現在のアクセスサービスクラスは、周期的に変更されることを特徴とする請求項１７記載の通信方法。
【請求項１９】
上記通信システムは、無線汎用移動通信システムであり、上記ランダムアクセルチャンネルのアクセスリソースは、タイムスロット及びシグネチャコードにより定義されることを特徴とする請求項１１乃至１８いずれか１項記載の通信方法。
【発明の詳細な説明】
【０００１】
【発明の属する技術分野】
本発明は、複数のアクセスリソースを有するランダムアクセスチャンネルが設けられた通信システムにおける通信装置及び通信方法に関し、特に、ランダムアクセスチャンネルのアクセスリソースへのアクセスに特徴を有する通信装置及び通信方法に関する。
【０００２】
【従来の技術】
ランダムアクセスチャンネルは、通信システム内において、ある通信装置から他の通信装置への接続を確立するために使用される共通チャンネルである。この場合の通信システムは、無線通信システムであってもよく、有線通信システムであってもよく、これらを組み合わせた通信システムであってもよい。
【０００３】
ランダムアクセスチャンネルのアクセスリソース（access resource）は、例えば接続を確立し、又はショートメッセージを送信することを望む通信装置によりランダムにアクセスされる。このため、アクセスは、コンテンション方式（contention-based）であり、すなわち複数の通信装置が同じリソースに同時にアクセスして接続を確立しようとする場合がある。汎用移動通信システム（Universal Mobile Telecommunication System：以下、ＵＭＴＳという。）又はＵＭＴＳ方式に類似する方式等の無線通信方式では、接続の確立又はデータの送信を望む移動端末装置がアクセスリソースをランダムに選択し、ランダムアクセスバースト（random access burst）のプリアンブルパート（preamble part）を基地局に送信することにより、ランダムアクセスチャンネルのアクセスリソースを要求する。ここで、ランダムアクセスバーストのプリアンブルパートは、ランダムに選択されたアクセスリソースの要求を表している。プリアンブルパートを受け取った基地局は、要求されたアクセスリソースが使用可能な状態にあるか否かを判定し、対応する応答信号を移動端末装置に送信する。例えば、適切なアクセスリソースがネットワーク側で使用できない場合等の状況では、基地局は要求されたアクセスリソースが使用できない旨を示す否定応答信号（negative acknowledgement signal）を移動端末装置に送信する。
【０００４】
複数の移動端末装置が同じアクセスリソースに同時にアクセスした場合、基地局は、アクセス要求を受け取ることができず、したがって応答信号を送信することができない。この場合、移動端末装置は、再びアクセス要求を送信する必要がある。
【０００５】
アクセスリソースは、時分割多元接続（Time Divisional Multiple Access：以下、ＴＤＭＡという。）方式におけるタイムスロット、周波数分割多元接続（Frequency Division Multiple Access：以下、ＦＤＭＡという。）方式における周波数、符号分割多元接続（Code Division Multiple Access）方式における符号、あるいは、タイムスロットとシグネチャコードによりランダムアクセスチャンネル内のアクセスリソースが定義されているＵＭＴＳ方式においてはこれらの組み合わせ等、実際の通信方式に応じて様々なものが用いられる。
【０００６】
【発明が解決しようとする課題】
ランダムアクセスチャンネルにおけるランダムアクセスリソースへのアクセスを確保する方式（mechanism）における問題は、アクセスの競合が発生するという点である。ランダムアクセスチャンネルにおいて、アクセスをより効率的に行うための幾つかの方法が提案されている。例えば、欧州特許条約第５４条（３）に基づいて公開された欧州特許出願番号９８１１８８１９．６号では、ランダムアクセスチャンネルのアクセスリソースを複数のグループに分割し、各グループを各優先クラスに対応させる方法が提案されている。各優先クラスは、伝送すべきランダムアクセスデータの伝送優先度（transmission priority）を表している。これにより、種類の異なるデータに対するアクセス要求は、異なる優先度で伝送され、すなわち、ある種のデータがランダムアクセスチャンネルのアクセスリソースへのアクセスを確保できる確率が他の種のデータより高められている。しかしながら、この方式は、所定数のアクセスリソースを特定のデータに固定的に割り当てているため、柔軟性を欠いている。さらに、特定のアクセス優先度、すなわちアクセスの確率を決定する判定基準は、データの種類のみである。
【０００７】
国際特許公開公報ＷＯ９７／１９５２５号には、より柔軟性を有する方式が開示されている。この方式では、通信システムにおけるランダムアクセスチャンネルのアクセスは、様々な優先度を有する加入者又はメッセージに応じてアクセスの確率を変化させる。このため例えば移動端末装置等のユーザは、複数の優先度グループにグループ化され、各グループは、ランダムアセスチャンネルのアクセスリソースに対して、異なるアクセス確率を有している。ここでは、移動端末装置のアクセス確率の分布及び割当に関する２つのスキーム、すなわち、比例的優先度分布（proportional priority distribution）及び一時的優先度分布（temporal priority distribution）が提案されている。比例的優先度分布では、移動端末装置の各グループは、ランダムアクセスチャンネルにいて使用可能な全てのアクセスリソースにアクセスしようとするが、そのアクセス確率が異なるものとされている。すなわち、各ユーザグループは、異なるアクセス確率を有しているが、全てのユーザは全てのアクセスリソースにアクセスすることができる。一時的優先度分布では、優先度が最も高いグループ、すなわち、アクセスリソースへのアクセス確率が最も高いグループが全てのアクセスリソースにアクセスしようとし、一方、優先度の低いユーザグループ、すなわちアクセス確率が低いユーザグループは、使用可能なアクセスリソースの一部のみに対してアクセスを試みる。この手法における問題は、優先度が最も高いグループによるアクセスの試みが他の優先度グループのアクセスの試みを満足させなくてはならない点である。したがって、例えば緊急の呼出等、非常に優先度の高いアクセスの試みが優先度の低いアクセスの試みを満足させるために成功しないこともあり得る。
【０００８】
そこで、本発明は、上述の課題に鑑み、ランダムアクセスチャンネルにおけるアクセスリソースにより効率的且つより柔軟にアクセスして、データを送受信することができる通信装置及び通信方法を提供することを目的とする。
【０００９】
【課題を解決するための手段】
上述の目的を達成するために、本発明に係る通信装置は、それぞれ異なるアクセス確率を有する異なるアクセスサービスクラスに対応する少なくとも２つのアクセスリソースグループに分割される複数のアクセスリソースを有するランダムアクセスチャンネルを備える通信システムにおいてデータを送受信する通信装置であって、通信装置が現在割り当てられているアクセスサービスクラスに対応するアクセスリソースグループからアクセスリソースをランダムに選択する選択手段と、ランダムに選択されたアクセスリソースを用いてランダムアクセスバーストを送信する送信手段と現在のアクセスサービスクラスを他のアクセスサービスクラスに変更させる特定のイベントを検出する検出手段とを備える。
【００１０】
本発明は、ランダムアクセスチャンネルのリソースに柔軟にアクセスできる通信装置及び通信方法を提供する。通信装置のアクセスサービスクラスは、所定のイベントの発生に応じて容易に変更でき、したがって、ランダムアクセスチャンネルのアクセスリソースへのアクセス確率を各要求に応じて高めたり低めたりすることができる。所定のイベントの発生により、これに続くアクセスの質及び優先度が所定の規則に基づいて変更される。これにより、アクセスの性能及び優先度を容易且つ柔軟に適応化することができる。特に、アクセスサービスクラスはデータの種類に対して固定する必要はなく、すなわち、同じ種類のデータを送信する場合でも、アクセスサービスクラスを変更できる。本発明に係る通信装置において、最大のランダムアクセス確率を有するアクセスサービスクラスに対応するアクセスリソースグループのアクセスリソースは、好ましくは、アクセスリソースグループに排他的に割り当てられている。これにより、例えば緊急の呼出等の重要なアクセス要求は、他のアクセス要求を満足させる必要がなく、アクセスリソースを迅速に確保できる。また、各アクセスリソースグループのアクセスリソースをそれぞれのアクセスリソースグループに排他的に割り当ててもよい。この場合、ランダムアクセスチャンネルのアクセスリソースは、異なるグループ間で重複することなく分割される。これに代えて、少なくとも一部のアクセスリソースは、２以上のアクセスリソースグループに割り当てられていてもよい。
【００１１】
また、特定のイベントは、ランダムアクセスチャンネルを介してランダムアクセス要求を送信した後、他の通信装置から送信されてくる所定回数の否定応答信号としてもよい。例えば、ランダムアクセス要求の送信が所定回数連続して失敗し、所定回数の否定応答信号を受け取った場合、現在のアクセスサービスをより高いアクセス確立を有するアクセスサービスに変更するとよい。また、特定のイベントは、時刻としてもよい。例えば、現在のアクセスサービスクラスを所定の時刻に他のアクセスサービスクラスに変更してもよい。この場合、アクセスサービスクラスは、例えば、システムパラメータが規則的に変化し、アクセスサービスクラスの変更が求められる時刻に変更される。また、この場合、現在のアクセスサービスクラスを周期的に変更してもよい。
【００１２】
本発明に係る通信装置は、現在のアクセスサービスクラスを他のアクセスサービスクラスに変更する規則を格納するメモリを備えているとよい。例えば、通信装置は、無線通信システムの移動端末装置であり、メモリは、加入者識別モジュールの一部である。また、現在のアクセスサービスクラスを他のアクセスサービスクラスに変更する規則は、他の通信装置から送信されてくるものであってもよい。これにより、様々に変化するシステムパラメータ及び条件に応じて、アクセスを柔軟に適応化することができる。
【００１３】
また、通信システムは、無線汎用移動通信システムであってもよく、この場合、ランダムアクセルチャンネルのアクセスリソースは、タイムスロット及びシグネチャコードにより定義される。
【００１４】
【発明の実施の形態】
以下、本発明に係る通信装置及び通信方法について、図面を参照して詳細に説明する。
【００１５】
図１は、本発明を適用した通信装置１の構成を示すブロック図である。通信装置１は、無線通信システムにおける移動端末装置であり、アンテナ２と、アンテナ２に接続され、無線通信システムにおける基地局又は他の移動端末装置に通信データを送信するための送信回路３と、アンテナ２に接続され、無線通信システムにおける基地局又は他の移動端末装置から通信データを受信するための受信回路４とを備える。なお、無線通信システムは、例えば汎用移動通信システム（Universal Mobile Telecommunication System：以下、ＵＭＴＳという。）又はＵＭＴＳに類似するシステム等である。なお、通信装置１は、符号化器、復号器、変調器、復調器等、データの送受信及び処理に必要な全ての回路を備えているが、これらは当分野に周知のものであるため、図１では示さず、本明細書では特に説明しない。また、図１に示す通信装置は、本発明に基づく通信装置の一例に過ぎず、本発明に基づく通信装置は、例えば電話機やパーソナルコンピュータ等、有線通信システムにおける端末装置であってもよい。
【００１６】
本発明に基づく通信装置１が動作し、本発明に基づく通信方法を実現する通信装置は、複数のアクセスリソースを備えるランダムアクセスチャンネル（random access channel：ＲＡＣＨ）を有する。通信装置１は、これらのリソースを用いて接続を確立する。無線通信システムの場合、移動端末装置は、ランダムアクセスチャンネルのアクセスリソースを用いて、対応する基地局にアクセス要求を送信する。ＵＭＴＳシステム又はＵＭＴＳシステムに類似するシステムでは、アクセス要求は、ランダムアクセスバーストにおけるプリアンブルパートにより送信される。アクセスリソースはランダムにアクセスされ、このためアクセスの競合が引き起こる。すなわち、基地局における同じアクセスリソースに対し、異なる移動端末装置から同時にアクセス要求が送信された場合、アクセスの競合が引き起こる。この場合、基地局は、いずれの移動端末装置から発せられたアクセス要求も受け取らず、したがって、いずれの移動端末装置も応答信号を受け取らず、このため、各移動端末装置は、所定時間経過後に再びアクセス要求を送信しなくてはならない。このような処理は、有線ネットワークにより接続された機器間においても同様に行われる。
【００１７】
本発明では、ランダムアクセスチャンネルにおける複数のアクセスリソースは、少なくとも２つのアクセスリソースグループに分割される。各アクセスリソースグループは、それぞれ異なるアクセス確率を有する異なるアクセスサービスクラスに対応する。通信システム内の各通信装置には、アクセスリソースグループの１つが割り当てられ、したがって、いずれかのアクセスサービスクラスに対応している。各アクセスサービスクラスは、それぞれのアクセス確率に対応しており、したがって、１つのアクセスリソースグループ内の各通信装置は、同じアクセス確率で各アクセスリソースグループ内のアクセスリソースにアクセスする。すなわち、異なるアクセスサービスクラスを定義し、各アクセスサービスクラスに異なるアクセス確率を与えることができる。例えば、３つのアクセスサービスクラスを定義し、第１のアクセスサービスクラスに最高の優先度及び高いアクセス確率を与え、第２のアクセスサービスクラスに中間の優先度及び中間のアクセス確率を与え、第３のアクセスサービスクラスの最低の優先度及び低いアクセス確率を与えたとする。標準の設定においては、例えば、与えられた通信装置の各データの種類に１つのアクセスリソースグループを割り当ててもよい。ランダムアクセスチャンネルを介して特定の種類のデータを送信する場合、対応するアクセス確率が有効となる。本発明によれば、対応するアクセスサービスクラスは、特定のイベントの発生に応じて変更させることもできる。
【００１８】
図１に示す通信装置１は、送信回路３に接続された選択回路５を備える。選択回路５は、通信装置１の現在のアクセスサービスクラスに対応するアクセスリソースグループからアクセスリソースをランダムに選択する。すなわち、通信装置１又はそのユーザが接続を確立しようとしたとき、選択回路５は、アクセスリソースをランダムに選択し、送信回路３は、アンテナ２を介して対応する基地局にアクセス要求を送信する。アクセス要求が許諾された場合、基地局は、通信装置１に肯定応答信号を送信し、この肯定応答信号は、アンテナ２を介して、受信回路４に供給される。受信回路４に供給された肯定応答信号は、通信装置１内でさらに処理され、許諾されたアクセスリソースを用いて、接続の確立及び／又はデータ送信のための実際のデータが送信される。この処理については、周知のものであり、ここでは詳細には説明しない。ここで、重要な特徴は、アクセス要求は、既にランダムに選択されたアクセスリソースに関する情報を含んでおり、要求されたアクセスリソースが許諾されると、対応する接続データが自動的にそのアクセスリソースを用いて送信される点である。
【００１９】
選択回路５は、常に通信装置１の現在のアクセスサービスクラスに対応するアクセスリソースグループからアクセスリソースを選択する。本発明においては、この現在のアクセスサービスクラスは、受信回路４及び選択回路５に接続された検出回路６により特定のイベントを検出することにより変更することができる。これにより、アクセス確率は、検出された特定のイベントと、検出回路６及び選択回路５に接続されているメモリ７に格納されている対応する規則に基づいて、より高い又はより低いアクセス確率に変更される。メモリ７に格納されている規則は、特定のイベントの検出に応じて、通信装置１の現在のアクセスサービスクラスをどのアクセスサービスクラスに変更するかを定義している。特定のイベントは、例えばアクセス要求を送信した後の否定応答メッセージの所定回数の受信であってもよい。この場合、現在のアクセスサービスサービスクラスを高い優先度を有し、そのアクセス要求が許諾される確率が高い他のアクセスサービスクラスに変更するとよい。これに代えて、所定回数アクセス要求が即時に許諾され、送信が成功し、及びこれに対応して肯定応答信号を所定回数受信したことを特定のイベントとしてもよい。この場合、現在のアクセスサービスクラスをアクセス確率が低い優先度のより低いアクセスサービスクラスに変更してもよい。さらに、特定のイベントは、所定の時刻であってもよい。この特定の時刻は、例えば、通信システムのユーザがランダムアクセス要求の伝送に関してその振る舞いを変化させる、統計的に得られた時刻としてもよい。さらに、現在割り当てられているアクセスサービスクラスを周期的に変化させるようにしてもよい。なお、検出によりアクセスサービスクラスを変更させる特定のイベントとしては、いかなる種類のものを定義してもよい。さらに、異なる種類のイベントの組み合わせを定義してもよい。アクセスサービスクラスは、伝送すべきデータの種類から独立して設定できる。
【００２０】
検出回路６における特定のイベントの検出に応じて現在のアクセスサービスクラスを他のアクセスサービスクラスに変更する規則は、メモリ７に格納されている。メモリ７は、通信装置１内に内蔵されるものであってもよい。あるいは、これに代えて、メモリ７は、通信装置１に挿入されて接続される装置に設けてもよい。この場合、メモリ７は、ＵＭＴＳにおける統一加入者識別モジュール（unified subscriber identity module：ＵＳＩＭ）等、通信装置に挿入される付属的な装置の一部であってもよい。さらに、この規則は、例えば基地局等の他の通信装置から送信され、メモリ７に格納されるものであってもよい。さらに、上述の手法を組み合わせて実現してもよく、例えば、この規則を加入者識別モジュールのメモリと通信装置１の内蔵メモリの両方に格納してもよい。この場合、加入者識別モジュールが通信装置１に挿入されて識別されると、通信装置１の内蔵メモリ内に格納されている規則が加入者識別モジュールに記憶されている規則により上書きされるようにしてもよく、あるいは、加入者識別モジュールに記憶されている規則を優先させるようにしてもよい。さらに、他の通信装置から送信される新たな規則を受け取り、この規則により加入者識別モジュール及び／又は通信装置１の内蔵メモリに格納されている現在の規則を上書きしてもよく、あるいは上書きは行わず、他の通信装置から送信された規則を優先させるようにしてもよい。このような処理により、現在割り当てられているアクセスサービスクラスをシステムパラメータの変化に応じて、柔軟に適応化することができる。
【００２１】
図２及び図３は、それぞれ、本発明に基づいて、２以上のアクセスリソースグループにグループ化されるアクセスリソースの第１及び第２の具体例を示す図である。アクセスリソースは、通常、対応する無線通信システム又は有線通信システムにおいて使用されている多元接続方式に応じて、周波数、タイムスロット、コード、あるいはこれらの組み合わせとして定義される。図２に示す具体例では、アクセスリソース又はランダムアクセスチャンネルをタイムスロットとしている。１受信サイクル又はランダムアクセスタイムウィンドウは、８つのタイムスロット＃０，＃１・・・＃７から構成されている。図２に示す具体例では、使用可能な８つのアクセスリソース又はタイムスロットをそれぞれのアクセス確率を有する３つのアクセスリソースグループに分割している。第１のグループは、斜線の縞模様で表されている５つのタイムスロット＃０，＃３，＃４，＃６，＃７から構成されており、第２のグループは、垂直線の縞模様で表されている２つのタイムスロット＃２，＃５から構成されており、第３のグループは、水平線の縞模様で表されている１つのタイムスロット＃１から構成されている。第１のアクセスサービスクラスが現在割り当てられている通信装置は、第１のアクセスリソースグループに対応し、第１のアクセスリソースグループには多数のアクセスリソース、したがって容量の大きなアクセスリソースが使用できるため、アクセスを獲得できる確率が高い。もちろん、これは、各サービスクラスに適切な数の通信装置を割り当てている場合に限る。第３のアクセスリソースグループに対応する第３のアクセスサービスクラスに現在割り当てられている通信装置は、各ランダムアクセスタイムウィンドウにおいて、アクセスを得るためのタイムスロットを１つしか有しておらず、したがって、アクセスを獲得できる確率は低く、第１又は第２のアクセスサービスクラスに割り当てられている通信装置に比べて、性能が劣る。ここで、特定のイベントを検出することにより、アクセスサービスクラスを変更させる規則に基づき、第３のアクセスサービスクラスに割り当てられている通信装置を第１又は第２のアクセスサービスクラスに切り替えることもできる。
【００２２】
図３は、本発明に基づいて分割されたアクセスリソースグループの第２の具体例を示す図である。この具体例では、アクセスリソースは、タイムスロット（又はタイムオフセット）及びプリアンブルシグネチャ（又はプリアンブルコード）により定義されている。例えばＵＭＴＳ方式では、ランダムアクセスチャンネルは、２個の無線フレーム（radio frame）又は２個のランダムアクセスタイムウィンドウ内に最大１５個のタイムスロット及び１６個のプリアンブルシグネチャを有し、したがって、合計で最大２４０個のアクセスリソースを使用することができる。図３では、８個のタイムスロット＃０，＃１，・・・＃７と、１６個のプリアンブルシグネチャ＃０，＃１，・・・＃１５を有する具体例を示している。アクセスリソースは、３つのアクセスリソースグループに分割されている。×印で表されているアクセスリソースは、第１のアクセスリソースグループに属し、タイムスロット＃０，＃１，＃２，＃３とプリアンブルシグネチャ＃０，＃１，２，＃３，＃４，＃５，＃６，＃７により定義され、第１のアクセスサービスクラスに対応する。黒丸印で表されているアクセスリソースは、第２のアクセスリソースグループに属し、タイムスロット＃４，＃５，＃６，＃７とプリアンブルシグネチャ＃０，＃１，２，＃３，＃４，＃５，＃６，＃７により定義され、第２のアクセスサービスクラスに対応する。無印の正方形で表されているアクセスリソースは、第３のアクセスリソースグループに属し、タイムスロット＃０，＃１，＃２，＃３，＃４，＃５，＃６，＃７と、プリアンブルシグネチャ＃８，＃９，＃１０，＃１１，＃１２，＃１３，＃１４，＃１５により定義され、第３のアクセスサービスクラスに対応する。図２に示す具体例及び図３に示す具体例の両方において、アクセスリソースは、厳密に複数のグループに分割されており、グループ間におけるアクセスリソースの重複は存在しない。しかしながら、グループ間でアクセスリソースが重複していてもよく、すなわち、１以上のアクセスリソースが２以上のアクセスリソースグループに属していてもよい。
【００２３】
以上のように、本発明に基づく通信装置及び通信方法は、所定のイベントの発生に応じて、通信装置のランダムアクセス処理の性能を単純且つ効率的な手法で柔軟に適応化する。本発明によれば、アクセスサービスクラスを変更でき、したがって、例えば緊急呼出を他の緊急性を有さない呼出の発生と競合することのない、排他的なアクセスリソースグループに対応するより高い優先度を有するアクセスサービスクラスに割り当てることができる。
【００２４】
【発明の効果】
以上のように、本発明に係る通信装置は、現在割り当てられているアクセスサービスクラスに対応するアクセスリソースグループからアクセスリソースをランダムに選択する選択手段と、ランダムに選択されたアクセスリソースを用いてランダムアクセスバーストを送信する送信手段と、現在のアクセスサービスクラスを他のアクセスサービスクラスに変更させる特定のイベントを検出する検出手段とを備える。これにより、ランダムアクセスチャンネルにおけるアクセスリソースにより効率的且つより柔軟にアクセスして、データを送受信することができる。
【００２５】
また、本発明に係る通信方法は、通信装置に現在割り当てられているアクセスサービスクラスに対応するアクセスリソースグループからアクセスリソースをランダムに選択し、ランダムに選択されたアクセスリソースを用いてランダムアクセスバーストを送信し、特定のイベントを検出し、現在のアクセスサービスクラスを他のアクセスサービスクラスに変更する。これにより、ランダムアクセスチャンネルにおけるアクセスリソースにより効率的且つより柔軟にアクセスして、データを送受信することができる。
【図面の簡単な説明】
【図１】本発明に基づく通信装置の構成を示すブロック図である。
【図２】アクセスリソースのグループ化の第１の具体例を示す図である。
【図３】アクセスリソースのグループ化の第２の具体例を示す図である。
【符号の説明】
１  通信装置、２  アンテナ、３  送信回路、４  受信回路、５  選択回路、６検出回路、７  メモリ
【図１】
0004663146.tif 000002
【図２】
0004663146.tif 000003
【図３】
0004663146.tif 000004